(57)【特許請求の範囲】
【請求項１】
全血に含まれる血球成分と血漿成分とを分離する分離層と、下記一般式（１）で表される構造を有するポリマーであるノニオン性膨潤剤を主要構成成分とするポリマー層と、血液中の測定対象成分と反応することにより光学的変化を起こす試薬を含む試薬層と、支持体とがこの順に積層された、前記測定対象成分を分析するための全血対応分析要素。
【化１】
0003569714.tif 000003
（式中、R1とR3は炭素数１〜２２のアルキル基もしくはアルキルフェニル基、水素のいずれかから選択される基を表し、R1とR3は各々同一であっても異なっていてもよく、R2はフェニル基、オキシフェノキシ基、炭素数３〜２２のオキシアルキルフェノキシ基，オキシアルコキシ基のいずれかから選択される基を表し、mとnの和は１００〜２００であり、lは１０〜５０である。）
【請求項２】
前記試薬層とポリマー層とが一体である請求項１記載の全血対応分析要素。
【請求項３】
分離層の上に、さらに展開層が積層されている請求項１又は２に記載の全血対応分析要素。
【請求項４】
R1とR3が水素であり、R2が炭素数１又は３〜２２のオキシアルコキシ基である請求項１記載の全血対応分析要素。
【請求項５】
支持体が光透過性物質からなるか、又は光学的検出用の貫通孔が設けられている、請求項１〜４のいずれかに記載の全血対応分析要素。
【発明の詳細な説明】
【０００１】
【発明の属する技術分野】
本発明は、臨床検査分野で用いられる全血対応分析要素に関するものであり、詳しくは、全血中のヘマトクリット値に影響を受けにくい、乾式の全血対応分析要素を提供するものである。
【０００２】
【従来の技術】
臨床検査の分野において、血液等の体液中のグルコースやビリルビンなどの生化学的活性成分（以下、「アナライト」と呼称することもある）を定量分析する方法において、試薬類が乾燥状態で提供されている試験片・試験紙を用いた、いわゆる「乾式分析要素」を使用するシステムは既に公知になっている。
【０００３】
乾式分析要素の長所として、試薬溶液を用いないために測定の場所を選ばず、また迅速に測定が行える点などが挙げられる。
しかし、それら多くの乾式分析要素は、測定に全血を用いると測定結果に誤差が生じるなどの欠点がある。その誤差の原因は、全血中に存在する血球成分が様々な影響を与えるためである。よって、遠心分離などの方法であらかじめ全血から血球成分を除去して血漿を得た後、その血漿を用いて乾式分析要素でアナライトの測定や定量分析が行なわれている。
【０００４】
しかし、これら遠心分離などの方法は多大な労力と時間を要するので、全血を分析要素へ適用する際に、分析要素への点着と同時に全血から血球成分を除去し、血漿を分離することのできるタイプの全血対応乾式分析要素が多数発明されている（以下、これらを「全血対応乾式試験片」と呼称することもある）。
【０００５】
全血対応乾式試験片での、全血から血漿を分離する方法としては、
▲１▼ガラスフィルター，濾紙，メンブレンフィルター，ゲル等を、血球を濾過するための濾過層として設置し、濾過を行う方法、
▲２▼血液凝固剤を使用し血球成分を取り除く方法、
▲３▼血球吸着物質（たとえば、特開昭６０−３６９６１号）を用いる方法、
▲４▼血球に影響を受けない光波長を測定に使用する方法、
等がある。
【０００６】
【発明が解決しようとする課題】
しかし、上記の分離方法を用いた全血対応乾式試験片では、血球成分そのものの影響（例えば、血球内部の物質が溶出して、アナライトの値が増減すること）は受けにくいものの、血球成分の濃度，いわゆるヘマトクリット値によって影響を受けてしまい、結果としてアナライトの測定値に誤差が生じてしまうという問題点がある。
【０００７】
というのは、ヘマトクリット値が高いと血球成分が多く存在し、それによる流動性の低下のために濾過するための濾過層での毛細管現象が滞ったり、濾過するにも血球成分で濾過層の目が詰まったりするためである。全血試料が過剰になればなるほど、その傾向は大きい。
【０００８】
ヘマトクリット値の影響を受けない全血分析要素を目指した従来技術として、特開平１−２３９４５６号公報に記載されている分析要素が挙げられる。この分析要素は水浸透性である試薬層と多孔性展開性とを有し、多孔性展開層上へ液体試料を点着すると、液体試料は、展開層の計量作用により単位面積当たり一定量の割合で広がり、その下の試薬層中の試薬と反応する。この分析要素では、試薬層の下に親水性ポリマー等からなる吸水層を設けることを好ましい態様としており、前記の反応の結果生成された色素が実質的に拡散しないようにしている。
【０００９】
本発明は、これら従来の分離方法とは全く異なる原理を利用した、しかも全血中のヘマトクリット値に影響を受けにくく、測定精度の高い新規な構造の全血分析要素を提供するものである。
【００１０】
【課題を解決するための手段】
本発明においては、ヘマトクリット値に影響を受けにくくするために、全血対応分析要素を下記に示す構成とした。
【００１１】
すなわち本発明は、全血に含まれる血球成分と血漿成分とを分離する分離層と、吸水性ポリマーを主要構成成分とするポリマー層と、血液中の測定対象成分と反応することにより光学的変化を起こす試薬を含む試薬層と、支持体とがこの順に積層された、前記測定対象成分を分析するための全血対応分析要素である。
【００１２】
前記全血対応分析要素の一態様として、前記分析要素において、前記試薬層とポリマー層とが一体である全血対応分析要素が提供される。
また本発明は、分離層の上に、さらに展開層が積層されている全血対応分析要素を提供する。
【００１３】
前記親水性ポリマーとしては、ノニオン性膨潤剤が挙げられる。また、ノニオン性膨潤剤としては、下記一般式（１）で表される構造を有するポリマーが挙げられる。
【００１４】
【化２】
Ｒ１−［（−Ｏ−ＣＨ２−ＣＨ２−）ｎ−Ｒ２−（−ＣＨ２−ＣＨ２−Ｏ−）ｍ］ｌ−Ｒ３  ・・・（１）
（式中、Ｒ１とＲ３は炭素数１〜２２、好ましくは６〜１８のアルキル基もしくはアルキルフェニル基、水素のいずれかから選択される基を表し、Ｒ１とＲ３は各々同一であっても異なっていてもよく、Ｒ２はフェニル基、オキシフェノキシ基、炭素数３〜２２、好ましくは１０〜１８のオキシフェノキシ基，オキシアルキルフェノキシ基，オキシアルコキシ基のいずれかから選択される基を表し、ｍとｎの和は１００〜２００、好ましくは１２０〜１８５であり、ｌは１０〜５０、好ましくは約２０〜４０である。）
【００１５】
上記一般式（１）で表される構造を有するポリマーとして具体的には、Ｒ１とＲ３が水素であり、Ｒ２がオキシフェノキシ基であるポリマーが挙げられる。
さらに本発明は、前記支持体が光透過性物質からなるか、又は光学的検出用の貫通孔が設けられている分析要素を提供する。
【００１６】
本発明の全血対応分析要素は、血球成分を含む全血に対応できる乾式試験片であり、本発明によれば、全血を試料とした場合でも全血中のアナライトの量を全血中のヘマトクリット値の影響を受けずに精度よく定量できる。
【００１７】
【発明の実施の形態】
本発明の全血対応分析要素（以下、単に「分析要素」ともいう）は、分離層とポリマー層と試薬層と支持体がこの順で積層された構造を有する。
【００１８】
前記分離層は、その表面に全血またはその希釈液を点着させたときに、全血に含まれる血球成分と血漿成分とを分離し、血漿成分を通過させてポリマー層に導くためのものである。分離層の素材としては、血球成分が内部に留まり、血漿成分が通過できるものであれば特に制限されないが、例えば、メンブランフィルター、ガラスフィルターや濾紙等の、従来の分離層に使用されているものが挙げられる。
【００１９】
ポリマー層は、吸水性ポリマーを主要構成成分とするものである。吸水性ポリマーとしては、血漿またはその希釈液を吸収して膨潤するものであれば、特に制限されないが、「液体試料を強制的に、かつ一定の速度で吸収し、ポリマー層に接する試薬層へ一定の速度で液体試料を供給することができる」ものであることが好ましい。本発明者は、このようなポリマーを用いることにより、ポリマー層は血漿成分を吸収することにより膨潤し、その後一定の吸収速度で血漿成分を吸収するために、過剰な試料が適用されても、試薬層への試料の供給量は一定となることを見出した。
【００２０】
吸水性ポリマーとして具体的には、ポリアクリル酸塩系，デンプン−アクリル酸塩グラフトポリマー系，酢酸ビニル共重合体系，無水マレイン酸共重合体系，ポリビニルアルコール系，エチレンオキサイド系のポリマーが挙げられる。これらは、いずれも本発明に使用できるが、より好ましいのはノニオン性の吸水性ポリマーであり、さらに具体的にはエチレンオキサイド鎖を含むポリマー（「エチレンオキサイドポリマー」と呼称する）である。これらは、吸水剤として市販されているものもあり、容易に入手できる。このような市販の吸水剤として、例えば熱可塑性ポリエチレンオキサイドを架橋し製造された熱可塑性ノニオン型親水性樹脂「アクアコーク」（住友精化（株）社の商標）が挙げられる。このようなノニオン性の吸水性ポリマーを使用すれば、ポリマー中の基どうしの静電引力がｐＨにより変化することも少なくなり、ポリマーの膨らみ具合も一定となり、血漿の吸収速度の変化がなくなる。
【００２１】
エチレンオキサイドポリマーの一般構造式は、前記一般式（１）に示したとおりである。この式のように、このポリマーは様々な形態をとり得る。たとえば、式中、Ｒ１がオクチルフェニル基やノニルフェニル基等のアルキルフェニル基であり、Ｒ２がオキシ基であり、Ｒ３が水素であり、ｍとｎの和が２〜７０でｌが１のものは、ポリオキシエチレンアルキルフェニルエーテルと称されている。これは界面活性剤として市販されており、先述の特開平１−２３９４５６号公報記載の分析要素においても、ｍとｎの和が２５以下の液状品と、ｍとｎの和が４０の固形品が使用されている。
【００２２】
また、Ｒ１がドデシル基、ヘキサデシル基、オクタデシル基、２−エチルヘキシル基等のアルキル基であり、Ｒ２がオキシ基であり、Ｒ３が水素であり、ｍとｎの和が２〜７０であり、ｌが１のものはポリオキシエチレンアルキルエーテルと称されており、界面活性剤として市販されている。
【００２３】
また、Ｒ１とＲ３が水素であり、Ｒ２がオキシ基であり、ｍとｎの和が２〜７０、ｌが１以上のものはポリエチレングリコールと称されており、これも界面活性剤として市販されている。
【００２４】
本発明には、前記一般式（１）で表されるポリマーの様々な形態のうち、上記の界面活性剤よりも、分子間で架橋されてポリマー状にあるエチレンオキサイド重合体が好ましい。より具体的には、同式において、Ｒ１とＲ３が水素であり、Ｒ２はフェニル基、オキシフェノキシ基、炭素数３〜２２、好ましくは１０〜１８のオキシフェノキシ基のいずれかから選択される基であり、ｍとｎの和は１００〜２００、好ましくは１２０〜１８５、ｌが１０〜５０、好ましくは約２０〜４０であるポリマーが特に好適である。さらに、疎水性のバランスを考慮すると、Ｒ２は好ましくはフェニル基、オキシフェノキシ基，オキシアルキルフェノキシ基であり、より好ましくは製造時の造りやすさに鑑みて、オキシフェノキシ基である。ここで、Ｒ２がオキシアルコキシ基である場合、炭素数は１又は３以上であることが好ましい。というのは、炭素数が２の場合では、上記の界面活性剤であるポリエチレングリコールと同じ構造となり、疎水性が弱くなり、ゲル状を呈することも少なくなり、本発明の意図からは外れる場合が多い。また、Ｒ２がオキシアルコキシ基である場合、工業的に原料の入手し易さから、炭素数は２２以下であることが好ましい。
【００２５】
本発明に好適に用いられるポリマーは、上記に示すような疎水的なＲ２を介してエチレンオキサイド鎖が架橋されている。また、このＲ２基どうし、又はエチレンオキサイド鎖どうしの分子間力によって、複数の重合体が架橋されている。故にこのようなポリマーは、親水性のエチレンオキサイド鎖を有するので非常に吸水性があるにもかかわらず水に不溶性であって、水の存在下ではゲル状を呈する。  尚、本発明に用いる吸水性ポリマーの膨潤率（乾燥状態の体積と、液体を吸収したときの体積比）としては、１．１倍以上３００倍以下、好ましくは２倍以上１００倍以下、さらに好ましくは２倍以上５０倍以下のものがよい。
【００２６】
ポリマー層の厚さは、用いるポリマーの種類、膨潤率によっても異なるが、その機能を有効に発揮するためには、通常１〜２００μｍが好ましい。
ポリマー層には、支持体側から反射光を測定する際にポリマー層での反射効率を高めるために、酸化チタン等の粉体を配合してもよい。また、血漿の浸透性を高めるために、界面活性剤を添加してもよい。
【００２７】
試薬層は、アナライトを測定するための試薬であって、血液中のアナライトと反応することにより光学的変化を起こす試薬を含み、この試薬の光学的変化によりアナライトの検出が可能となる。用いられる試薬としては、例えば、アナライトがグルコースである場合には、グルコースオキシダーゼと、パーオキシダーゼと、４−アミノアンチピリンと、Ｎ−メチル−Ｎ−（２−ヒドロキシ−３−スルホプロピル）−３，５−ジメチルアニリンが、
アナライトがコレステロールである場合には、コレステロールオキシダーゼと、パーオキシダーゼと、４−アミノアンチピリンと、Ｎ−メチル−Ｎ−（２−ヒドロキシ−３−スルホプロピル）−３，５−ジメチルアニリンが、
アナライトが乳酸である場合には、乳酸脱水素酵素と、ＮＡＤ＋と、ジアホラーゼと、テトラゾリウムヴァイオレットが、
アナライトがアルカリフォスファターゼである場合には、ｐ−ニトロフェニルフォスフェートが、それぞれ使用される。
【００２８】
試薬層は、公知の方法により層状に調製されたものでよい。例えば、水溶性のバインダーであるポリビニルアルコール，ポリアクリル酸，アルギン酸ナトリウム，ポリアクリルアミドなどの合成高分子や、プルラン，セルロース誘導体，メトロース，ゼラチンなどの天然あるいは合成高分子を用い、アナライトと反応する試薬と水とを混合して粘度を上げた後、支持体上へ層状にキャスティングを行い、乾燥させて試薬層を形成する。
【００２９】
本発明の分析要素の一態様においては、試薬層は前記ポリマー層と異なる層として設けられるが、他の態様として、ポリマー層と試薬層を一体とし、すなわち、吸水性ポリマー及び試薬を含むポリマー層とすることもできる。本発明に用いるポリマーは無色かつ光透過性なので、色の変化は支持体側から容易に読み取れる。また、試薬層を別に設ける手間がはぶけるという利点がある。この場合でも、液体試料の試薬への供給は一定速度で行われ、正確な測定が可能である。
【００３０】
支持体は、分析要素を支持するためのものであるが、分離層、ポリマー層及び試薬層のみで必要な物理的強度を有するものであれば、省くこともできる。支持体の材質としては、ガラス，ポリエステル，セルロースエステル，ポリメチルメタクリレートなどの合成樹脂フィルムが用いられる。ただし、ポリマー層の上部には血球が溜まっているために試薬類の変化が読み取れない場合があるので、一般的には支持体側から測定することが多い。よって、支持体は、光透過性の物質であるか、または測光用の貫通孔が開いていることが望ましい。また、試薬の反応に酸素を必要とする場合には、支持体の貫通孔を多孔性のフィルムで覆い、その多孔性フィルム上に試薬層・ポリマー層を設けることが望ましい。
【００３１】
本発明の分析要素は、上記のような分離層、ポリマー層、試薬層及び支持体を、この順で積層することにより製造される。尚、分離層の上、すなわち積層体の最上層に、さらに展開層を設けてもよい。これは、点着された液体を左右方向に広げるものであり、反応には直接に関係はしない。全血分離層へ局所的に点着されてしまい、ひいてはポリマー層の吸水に多少の時間のずれが起こることを防ぐためである。
【００３２】
本発明の分析要素の製造法は特に制限されないが、例えば、分離層上に順次ポリマー液、試薬液、または試薬を含むポリマー液を塗工し、これを支持体上に、塗工面が接するようにおいて圧着する方法が例示される。その際、試薬層または試薬を含むポリマー層を支えるために、多孔性フィルム等を用いて試薬層またはポリマー層を保持してもよい。ただし、この多孔性フィルムは本発明に必須ではない。
【００３３】
次に、本発明の分析要素の使用法を説明する。分析要素の分離層上に点着すると、まず、分離層により全血が血球成分と血漿成分とに分離される。余分な血球類は全血分離層上及び同層内に溜まり、血漿成分がポリマー層に達する。
【００３４】
ポリマー層は、液体試料（ここでは血漿成分）を吸収することにより、試料を点着する前と比べて大きく膨潤するが、このとき、ポリマー層は一定の吸収速度で血漿成分を吸収するために、過剰な試料が適用されても問題はない。このとき、分離層での血球分離の動作を、従来のような重力と毛細管現象のみに頼るのではなく、分離層の下にあるポリマー層が、その吸水能力によって全血中から血漿成分を強制的に、かつ一定速度で吸収するので、試薬層に到達する血漿成分の量はヘマトクリット値にも影響を受けない。すなわち、ポリマー層を設けることによって、試料液を強制的に分離層で濾過し、濾過された試料液を一旦ポリマー層中に保持しつつ、試薬層中に一定の速度で供給するのである。
【００３５】
次に、このポリマー層の下部にある試薬層中の試薬が、血漿成分の水分で溶解し、目的物質を測定するための試薬と試料中のアナライトが混ざり合い、反応する。このとき、ポリマー層中の液体試料はポリマー層の能力により、試薬層へ一定量ずつ徐々に供給されるので、試料が大過剰でも過剰の試料に試薬が流出することもなく、確実な測定ができる。
【００３６】
そして、反応後の試薬の光学的変化を支持体側から検出することにより、試料中のアナライトの量が測定される。
【００３７】
【実施例】
以下に、本発明を実施例によりさらに具体的に説明する。
【００３８】
【実施例１】
はじめに、本発明の分析要素がヘマトクリット値の影響を受けないことを示すために、試薬層を有していない分析要素を作製し、ヘマトクリット値とポリマー層での試料の吸収量との関係を調べた。
＜１＞分析要素の作製
下記ポリマー層液を全血分離層（メンブランフィルター（ポアサイズ０．４５μｍ），ミリポア社製）上に膜厚５０μｍ（湿潤状態）で塗工した。その後、５０℃で１５分間送風乾燥し、乾燥後７ｍｍ幅のテープ状に切断した。ホットメルトでコーティングされた３５×５０ｍｍの光透過性ポリエチレンテレフタレート（厚さ０．５ｍｍ）製の支持体上の一端に、前記テープ片をポリマー側を支持体に面するように重ね、熱圧着した。最後に、テープの長方向に対して垂直に支持体を７ｍｍ幅で切断し、５個の分析要素を得た。
【００３９】
〔ポリマー層液〕
上記成分をメタノール中で混合し撹拌する。
・アクアコーク（住友精化（株）製）＊）             ５％    （重量比）
・Ｔｒｉｔｏｎ  Ｘ−１００  （和光純薬（株）製）  ０．１％（重量比）
・ＴｉＯ２    （和光純薬（株）製）                １０％    （重量比）
＊）：前記一般式（１）において、Ｒ１及びＲ３は水素、Ｒ２はオキシフェノキシ基、ｍ＋ｎ＝約１８０、ｌ＝約２７．５である。
【００４０】
＜２＞分析要素の評価
（１）全血試料の調製
健常人の全血へ、青色色素１号（東京化成工業（株）製）を１ｍｇ／ｍｌになるように添加した。添加後、全血を遠心分離し、血球成分と血漿成分とに分けた後、ヘマトクリット値が約３０〜６０％となるように調製した。ヘマトクリット値の検定は、遠心分離法により行った。
【００４１】
（２）吸水速度の測定
ポリマー層の吸水量の測定は、色彩計（Σ９０，日本電色工業（株）製）を使用し、青色色素を検出・測定することにより行った。分析要素の上部へ、全血を過剰量である２０μｌ点着し、下部（支持体側）より６４０ｎｍの反射率を測定し、得られた反射率から数１式に示すクベルカ−ムンクの簡略型の式に従ってＫ／Ｓ値を求めた。横軸に時間をとり、縦軸にＫ／Ｓ値をとったグラフを図１に示す。
【００４２】
【数１】
Ｋ／Ｓ値＝（１−Ｒ）２／２Ｒ
Ｒ  ：反射率（％）
【００４３】
次に、先に求めたＫ／Ｓ値の５５秒目の値と１８５秒目の値の差をΔＫ／Ｓ値とし、これにより、ポリマー層の吸収速度を観察した。横軸にヘマトクリット値をとり、縦軸にΔＫ／Ｓ値をとったグラフを図２に示す。
【００４４】
図１に示されるように、３５％〜５４％までの範囲でヘマトクリット値が高いほど測定に時間がかかるが、これは全血分離層において多少の時間差がつくためである。しかし、図２から明らかなように、ポリマー層の単位時間当たりの吸収速度に対して、ヘマトクリット値が影響を与えなかったことが判る。
【００４５】
この結果から、ポリマー層は液体試料を一定の速度で吸収し、試薬層中の試薬と反応するに好ましい血漿量を全血から供給できることが判る。
【００４６】
【実施例２】
次に、実際に試薬を含む分析要素を用いて、測定値に対するヘマトクリット値の影響を調べた。
＜１＞分析要素の調製
下記試薬含有ポリマー層液を全血分離層（メンブランフィルター（ポアサイズ０．６５μｍ），ミリポア社製）上に膜厚５０μｍで塗工した。このメンブランフィルターの塗工面の上に、光透過性の多孔性フィルム（厚さ１５０μｍ，ミリポア社製）をのせ、５０℃で１５分間送風乾燥し、乾燥後７ｍｍ幅のテープ状に切断した。
【００４７】
直径４ｍｍの貫通孔を３ｍｍおきに５個の列を一端に有し、ホットメルトでコーティングされている、３５×５０ｍｍの光透過性ポリエチレンテレフタレート（厚さ０．５ｍｍ）製の支持体上に、前記テープ片を多孔性フィルム側を支持体に面するよう、かつ貫通孔の列を覆うように重ね、熱圧着した。
【００４８】
最後に、一貫通孔毎に貫通孔の列に対して垂直に支持体を７ｍｍ幅で切断し、５個の分析要素を得た。
尚、上記の多孔性フィルムは、貫通孔をまたぐ状態で試薬含有ポリマー層を保持するための支えであり、本発明にとって必須ではない。
（試薬含有ポリマー層液）
▲１▼のポリマー液８ｇに▲２▼の試薬液を全量混合攪拌し、試薬含有ポリマー層液とした。
【００４９】
▲１▼ポリマー液
・アクアコーク（住友精化（株）製）              ６．２５％（重量比）
・Ｔｒｉｔｏｎ  Ｘ−１００（和光純薬（株）製）  ０．２５％（重量比）
・ＴｉＯ２  （和光純薬（株）製）                １２．５％（重量比）
上記成分をメタノール中で混合し撹拌する。
【００５０】
0003569714.tif 000002
【００５１】
＜２＞分析要素の評価
（１）全血試料の調製
健常人の全血へ、解糖阻止の目的でフッ化ナトリウム（ナカライテスク（株）製）を１ｍｇ／ｍｌになるように添加した。その後、全血を遠心分離して血球成分と血漿成分とに分けた後、各ヘマトクリット値に調製した。ヘマトクリット値の検定は、遠心分離法により行った。各々の血糖値の検定は、血漿を血糖測定装置ＧＡ−１１２０（（株）京都第一科学製）により検定することにより行ない、血糖値がほぼ同一であることを確認した。
【００５２】
（２）血糖値の測定
分析要素の上部へ全血を、過剰量である２０μｌを点着し、下部（支持体側）より色彩計（Σ９０，日本電色工業（株）製）を使用して６４０ｎｍの反射率を測定し、得られた反射率からＫ／Ｓ値を求めた。求めたＫ／Ｓ値の１１５秒目の値と１２５秒目の値の差をΔＫ／Ｓ値とした。
【００５３】
横軸にヘマトクリット値をとり、縦軸にΔＫ／Ｓ値をとったグラフを図３に示す。
図３に示すように、２８〜６２％までの範囲のヘマトクリット値によらず、単位時間あたりの発色量に差がなかった。この結果から、ヘマトクリット値の影響を受けなかったことが判る。
【００５４】
【発明の効果】
本発明の分析要素を用いると、全血を試料とする場合であっても、ヘマトクリット値に影響を受けずにアナライトを精度よく測定することができる。また、過剰量の全血試料を分析要素に点着しても、精度よくアナライトを測定することができる。
【図面の簡単な説明】
【図１】本発明による分析要素へ全血を点着した際の、時間とＫ／Ｓ値との関係を示したグラフである。
【図２】図１で求めたＫ／Ｓ値の５５秒目の値と１８５秒目の値の差をΔＫ／Ｓ値とし、ヘマトクリット値と比較した際のグラフである。
【図３】実際に試薬を用いて求めたＫ／Ｓ値の１１５秒目の値と１２５秒目の値の差をΔＫ／Ｓ値とし、ヘマトクリット値と比較した際のグラフである。
【図１】
0003569714.tif 000004
【図２】
0003569714.tif 000005
【図３】
0003569714.tif 000006